(57)【要約】【課題】携帯端末等の電子機器において、ユーザが必要とする機能の部品がどこにあるのかを非常に分かり易く見つけることを可能にする。【解決手段】本体ケース１１に内蔵されるマイク１７ｄの集音孔として機能するマイク孔１７ｃを、当該本体ケース１１の表面に印刷あるいは形成したマイクアイコン１７ａのマイクヘッダ部分１７ｂに合わせて形成したので、ユーザが例えば単語を発音してその音声を入力する際に、マイク１７ｄがあるマイク部１７の位置をユーザは一目で簡単に見つけることができ、どこに向けて発音すればよいのかを直ぐに明確に認識できる。【選択図】      図２
2015115662.tif 000002
【特許請求の範囲】
【請求項１】
機能を実行する部品を設けた位置に合わせて、当該機能を表す標章をケースに表記してなる、
ことを特徴とする電子機器。
【請求項２】
前記ケースに表記した標章の機能を表す要素部分に、当該機能を実行する部品が設けられる、
ことを特徴とする請求項１に記載の電子機器。
【請求項３】
前記機能を実行する部品は、音声を入力するマイクであり、前記標章はマイクアイコンであって、当該マイクアイコンのマイクヘッダ部分に、前記マイクが設けられる、
ことを特徴とする請求項２に記載の電子機器。
【請求項４】
前記ケースに表記したマイクアイコンのマイクヘッダ部分には孔が形成され、当該孔の位置に合わせたケースの内部に前記マイクが設けられる、
ことを特徴とする請求項３に記載の電子機器。
【発明の詳細な説明】
【技術分野】
【０００１】
本発明は、ユーザ操作に応じて動作する携帯端末等の電子機器に関する。
【背景技術】
【０００２】
従来から、携帯電話やスマートフォン等、マイクを備えた電子機器がある。
【０００３】
一方、電子辞書のように情報検索機能を主とした電子機器も普及している。このような電子機器では、外国語の単語やその例文の発音を音声として出力する機能もあり、教育機器としても発展している（例えば、特許文献１参照。）。
【０００４】
そして、ユーザが発音した学習対象語句の音声をマイクから入力して録音し、この録音されたユーザの音声データと予め登録された模範の発音の音声データとを比較してその評価結果を表示する電子辞書も考えられている（例えば、特許文献２参照。）。
【先行技術文献】
【特許文献】
【０００５】
【特許文献１】特開２００７−０９４２６９号公報
【特許文献２】特開２００８−０８３４４６号公報
【発明の概要】
【発明が解決しようとする課題】
【０００６】
前記マイクを備えた電子機器において、携帯電話等であれば、その製品の性格上、マイクがどこにあるかは特に明示することなくユーザに理解される。
【０００７】
しかしながら、前記電子辞書のようにマイクを備えていてもその位置が特定されない電子機器の場合には、単にマイクに対応した集音用の孔が設けられているだけではそのマイクがどこにあるかをユーザが一目で認識し難い。このため、ユーザが学習対象の語句を発音するにあたり、どこに向けて発音すればよいのか分かり難い問題がある。
【０００８】
本発明は、このような課題に鑑みなされたもので、ユーザが必要とする機能の部品がどこにあるのかを非常に分かり易く見つけることが可能になる電子機器を提供することを目的とする。
【課題を解決するための手段】
【０００９】
本発明に係る電子機器は、機能を実行する部品を設けた位置に合わせて、当該機能を表す標章をケースに表記してなる、ことを特徴としている。
【発明の効果】
【００１０】
本発明によれば、ユーザが必要とする機能の部品がどこにあるのかを非常に分かり易く見つけることが可能になる。
【図面の簡単な説明】
【００１１】
【図１】本発明の電子機器の実施形態に係る電子辞書１０の外観構成を示す正面図。
【図２】前記電子辞書１０の本体ケース１１に設けられたマイク部１７を拡大して示す正面図。
【図３】前記図２における電子辞書１０のマイク部１７の構造を示すＡ−Ａ線断面図。
【発明を実施するための形態】
【００１２】
以下図面により本発明の実施の形態について説明する。
【００１３】
図１は、本発明の電子機器の実施形態に係る電子辞書１０の外観構成を示す正面図である。
【００１４】
この電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１５】
この電子辞書１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー、辞書指定キー、［訳／決定］キー、［戻る／リスト］キー、カーソルキーなどを備えたキー入力部１４、タッチパネル式サブ表示部１５、スピーカ部１６、マイク部１７等が備えられる。
【００１６】
タッチパネル式サブ表示部１５は、ユーザがペンや指等でタッチした位置を検出するタッチ位置検出装置と表示装置が一体となった構造であり、キー入力部１４の中央手前側においてバックライト付きカラー液晶表示画面に透明タッチパネルを重ねて構成される。このサブ表示部１５は、必要に応じて、手書き文字を入力するための手書き文字入力領域、各種機能のキー入力領域、あるいは当該各領域が混在する領域に切り替えられる。
【００１７】
また蓋体ケース１２の表面には、そのほぼ全面を対象にバックライト付きのタッチパネル式メイン表示部１８が設けられる。
【００１８】
前記タッチパネル式メイン表示部１８も、前記サブ表示部１５と同様に、ユーザがペンや指等でタッチした位置を検出するタッチ位置検出装置と表示装置が一体となった構造であり、そのバックライト付きカラー液晶表示画面に透明タッチパネルを重ねて構成される。
【００１９】
そして、この電子辞書１０は、少なくとも以下の機能（１）〜（３）を有する。
【００２０】
（１）キー入力部１４からキー入力あるいはタッチパネル式サブ表示部１５から手書き入力された検索語に対応する見出し語を辞書データベーから検索し、検索された見出し語とその説明情報をメイン表示部１８に表示させる機能。
【００２１】
（２）メイン表示部１８に表示されたテキストの中からユーザ操作に応じて指定された単語や文章等の発音の音声をスピーカ部１６から出力させる機能。
【００２２】
（３）ユーザによる発音の音声をマイク部１７から入力して録音し、この録音されたユーザの音声データを模範の発音の音声データと比較して評価する機能。
【００２３】
図２は、前記電子辞書１０の本体ケース１１に設けられたマイク部１７を拡大して示す正面図である。
【００２４】
図３は、前記図２における電子辞書１０のマイク部１７の構造を示すＡ−Ａ線断面図である。
【００２５】
前記マイク部１７は、本体ケース１１の表面に印刷あるいは形成されたマイクアイコン１７ａによってユーザがその位置を非常に簡単に見つけることが可能になっている。このマイクアイコン１７ａは、マイクヘッドを表す部分とマイクスタンドを表す部分を組み合わせた形状をした標章であり、マイクヘッド部分１７ｂには、本体ケース１１の表面ケース１１ａを貫通して集音孔として機能するマイク孔１７ｃが設けられる。そして、このマイク孔１７ｃを介した本体ケース１１の内部にマイク１７ｄが配置される。
【００２６】
前記マイク１７ｄは、前記表面ケース１１ａのマイク孔１７ｃに対応して設けられたマイク嵌め込み穴１９に下から圧入されて嵌め込まれるもので、当該表面ケース１１ａと底面ケース１１ｂとを一体化して本体ケース１１を構成することで、前記マイク１７ｄは前記底面ケース１１ｂの内側に立設されたリブ２０により下から支持されて固定される。
【００２７】
なお、図３において、１６ａは、本体ケース１１のスピーカ部１６に対応して複数穿設されたスピーカ孔、１６ｂは、前記スピーカ孔１６ａに対応して本体ケース１１の内部に配置されたスピーカである。
【００２８】
したがって、前記構成の電子辞書１０によれば、本体ケース１１に内蔵されるマイク１７ｄの集音孔として機能するマイク孔１７ｃを、当該本体ケース１１の表面に印刷あるいは形成したマイクアイコン１７ａのマイクヘッダ部分１７ｂに合わせて形成したので、ユーザが例えば単語を発音してその音声を入力する際に、マイク１７ｄがあるマイク部１７の位置をユーザは一目で簡単に見つけることができ、どこに向けて発音すればよいのかを直ぐに明確に認識できる。
【００２９】
なお、前記実施形態では、本体ケース１１の表面に、マイク１７ｄが内蔵される位置に合わせてマイクアイコン１７ａを印刷あるいは形成し、当該マイクアイコン１７ａのマイクヘッダ部分１７ｂに集音孔としてのマイク孔１７ｃを形成した。
【００３０】
このように、マイク１７ｄの内蔵位置に合わせてマイクアイコン１７ａを表記する場合のみならず、例えばカメラレンズの位置に合わせてカメラアイコンを表記し、そのカメラアイコンのレンズ部分にレンズ孔を形成すれば、携帯端末等の電子機器で写真を撮る際にカメラレンズがどこにあるかを簡単に見つけることができる。
【００３１】
また、温度センサの位置に合わせて温度計アイコンを表記し、その温度計アイコンの計測体部分にセンサ孔を形成すれば、携帯端末等の電子機器で温度を測る際にその計測体がどこにあるかを簡単に見つけることができる。
【００３２】
さらに、指紋センサの位置に合わせて指アイコンを表記し、その指アイコンの指先部分にセンサ面を配置すれば、個人認証が必要な電子機器で指紋が要求される際にその指紋センサがどこにあるかを簡単に見つけることができる。
【００３３】
すなわち、電子機器に搭載される機能を実行する主要な部品の位置に合わせて当該機能を表すアイコンを機器本体に表記することで、当該機能を実行させる際にその主要な部品がどこにあるかを簡単に見つけることができる。
【００３４】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００３５】
以下に、本願出願の当初の特許請求の範囲に記載された発明を付記する。
【００３６】
［１］
機能を実行する部品を設けた位置に合わせて、当該機能を表す標章をケースに表記してなる、
ことを特徴とする電子機器。
【００３７】
［２］
前記ケースに表記した標章の機能を表す要素部分に、当該機能を実行する部品が設けられる、
ことを特徴とする［１］に記載の電子機器。
【００３８】
［３］
前記機能を実行する部品は、音声を入力するマイクであり、前記標章はマイクアイコンであって、当該マイクアイコンのマイクヘッダ部分に、前記マイクが設けられる、
ことを特徴とする［２］に記載の電子機器。
【００３９】
［４］
前記ケースに表記したマイクアイコンのマイクヘッダ部分には孔が形成され、当該孔の位置に合わせたケースの内部に前記マイクが設けられる、
ことを特徴とする［３］に記載の電子機器。
【符号の説明】
【００４０】
１０  …電子辞書
１１  …本体ケース
１１ａ…表面ケース
１１ｂ…底面ケース
１２  …蓋体ケース
１４  …キー入力部
１５  …タッチパネル式サブ表示部
１６  …スピーカ部
１７  …マイク部
１７ａ…マイクアイコン
１７ｂ…マイクヘッダ部分
１７ｃ…マイク孔
１７ｄ…マイク
１８  …タッチパネル式メイン表示部
１９  …マイク嵌め込み穴
２０  …リブ
【図１】
2015115662.tif 000003
【図２】
2015115662.tif 000004
【図３】
2015115662.tif 000005